(57)【要約】【課題】包装硬貨を収納するトレイを個別に管理することを可能とする。【解決手段】包装硬貨処理装置に備えられるワゴン部に複数のトレイ台が設けられ、各トレイ台にトレイ３０が装填される。各トレイ３０にはＩＤタグ３６が貼着されている。ＩＤタグ３６には、ＩＤ番号、金種、本数が記憶されており、棒金取込部５０に設けられたリーダライタにより、非接触で読み書き可能となっている。【選択図】図２
2008165702.tif 000002
【特許請求の範囲】
【請求項１】
所定枚数の硬貨を金種別に包装した包装硬貨の払い出しを行なう包装硬貨処理装置であって、
前記包装硬貨を複数本収納するトレイと、
前記トレイを着脱自在に保持する複数のトレイ装填部と、
前記トレイの各々に設けられ、当該トレイについての個別情報を記憶する情報記憶媒体と、
前記情報記憶媒体に対して非接触で前記個別情報の読み書きを行なう情報読み書き手段と
を備える包装硬貨処理装置。
【請求項２】
請求項１に記載の包装硬貨処理装置であって、
前記情報記憶媒体は、
無線でデータのやり取りができるＩＤタグである
包装硬貨処理装置。
【請求項３】
請求項１または２に記載の包装硬貨処理装置であって、
前記情報記憶媒体に記憶される個別情報は、前記トレイを識別し得る識別情報を含む
包装硬貨処理装置。
【請求項４】
請求項１ないし３のいずれかに記載の包装硬貨処理装置であって、
前記情報記憶媒体に記憶される個別情報は、包装硬貨処理装置の使用の状況によって、トレイ単位で変化し得る変動情報を含む
包装硬貨処理装置。
【請求項５】
請求項４に記載の包装硬貨処理装置であって、
前記変動情報は、前記トレイに収納される包装硬貨の本数情報である
包装硬貨処理装置。
【請求項６】
請求項４に記載の包装硬貨処理装置であって、
前記変動情報は、前記トレイからの前記包装硬貨の取り出しに関する異常情報である
包装硬貨処理装置。
【請求項７】
請求項１ないし６のいずれかに記載の包装硬貨処理装置であって、
前記複数のトレイ装填部のそれぞれに装填された各トレイの並び方向に移動して、所望のトレイから包装硬貨を取り込む包装硬貨取込手段
を備え、
前記情報読み書き手段は、
前記包装硬貨取込手段に設けられ、前記包装硬貨取込手段の移動と共に、前記情報記憶媒体の読み書きを行う構成である
包装硬貨処理装置。
【請求項８】
請求項１ないし７のいずれかに記載の包装硬貨処理装置であって、
前記情報読み書き手段により読み込んだ前記情報記憶媒体毎の個別情報を、前記複数のトレイ装填部のそれぞれと対応づけて記憶するテーブル形式のデータを記憶するテーブルデータ記憶手段
を備える包装硬貨処理装置。
【請求項９】
請求項１または２に記載の包装硬貨処理装置であって、
前記情報記憶媒体に記憶される個別情報は、前記トレイに収納される包装硬貨の金種を含み、
包装硬貨の補充が必要な金種とトレイ装填部を定める補充内容決定手段と、
前記補充が必要と定められた金種とトレイ装填部を、前記補充を行なう作業員に通知する通知手段と、
作業員による前記補充が完了したか否かを判定する補充完了判定手段と、
前記補充完了判定手段により前記補充の完了が判定されたとき、前記情報読み書き手段を作動させて、前記補充内容決定手段により定められたトレイ装填部に対応する前記情報記憶媒体に記憶された金種を読み取る読取制御手段と、
前記金種読取制御手段により読み取った金種が前記補充内容決定手段により定められた金種と一致しないときに、警報を発する警報手段と
を備える包装硬貨処理装置。
【請求項１０】
請求項１または２に記載の包装硬貨処理装置であって、
前記情報記憶媒体に記憶される個別情報は、前記トレイに収納される包装硬貨の金種を含み、
前記包装硬貨の取り込み先である前記トレイ装填部を求める取込先決定手段と、
前記取込先決定手段により定められた前記トレイ装填部に装填された前記トレイから包装硬貨を取り込む包装硬貨取込手段と、
前記包装硬貨取込手段により取り込んだ包装硬貨の金種を、当該包装硬貨を実測することにより判定する実金種判定手段と、
前記包装硬貨取込手段により取り込んだ包装硬貨の金種を、前記取込先決定手段により定められた前記トレイ装填部に対応する前記情報記憶媒体に記憶された金種から判定する記憶金種判定手段と、
前記実金種判定手段と前記記憶金種判定手段との判定結果が一致しないときに、警報を発する警報手段と
を備える包装硬貨処理装置。
【請求項１１】
請求項５に記載の包装硬貨処理装置であって、
前記包装硬貨の取り込み先である前記トレイ装填部を求める取込先決定手段と、
前記取込先決定手段により定められた前記トレイ装填部に装填された前記トレイから包装硬貨を取り込む包装硬貨取込手段と、
前記包装硬貨取込手段により取り込んだ包装硬貨の本数をカウントする本数カウント手段と、
前記取込先決定手段により定められた前記トレイ装填部に装填された前記トレイに残る包装硬貨の本数を、前記本数カウント手段によりカウントされた本数に基づいて演算する残数演算手段と、
前記取込先決定手段により定められた前記トレイ装填部に対応する前記情報記憶媒体の前記本数情報を、前記残数演算手段により求められた包装硬貨の本数に基づいて更新する情報記憶媒体更新手段と
を備える包装硬貨処理装置。
【請求項１２】
所定枚数の硬貨を金種別に包装した包装硬貨の払い出しを行なう包装硬貨処理装置に用いられ、前記包装硬貨を複数本収納する包装硬貨用トレイであって、
当該包装硬貨用トレイについての個別情報を記憶し、非接触で前記個別情報の読み書きを受ける情報記憶媒体
を備える包装硬貨用トレイ。
【発明の詳細な説明】
【技術分野】
【０００１】
本発明は、包装硬貨の払い出しを行なう包装硬貨処理装置と、包装硬貨を複数本収納する包装硬貨用トレイに関する。
【背景技術】
【０００２】
従来、入金された貨幣を包装硬貨へ両替する両替機が知られている。ここで、包装硬貨とは、所定枚数の硬貨を重ねて包装したもので、金種別となっている。
【０００３】
両替機への包装硬貨の補充は警送員の手によって行われる。警送員は、現金センタにて包装硬貨が収納されたトレイを店舗に運び、トレイ単位で両替機への交換を行う。こうしたトレイには、収納された包装硬貨の金種を表わすバーコードラベルが貼着されたものがある（例えば、特許文献１）。両替機は、バーコードラベルを光学的なセンサにより読みとることで金種を検出して、この金種と実際に投出した本数とから払い出した金額を計算することで、現在の在り高を管理している。
【０００４】
【特許文献１】特開平１１−８６０６７号公報
【０００５】
しかしながら、前記従来の技術によれば、両替機全体の在り高を管理することはできるが、各トレイを個別に管理することができないという問題があった。
【発明の開示】
【発明が解決しようとする課題】
【０００６】
本発明は、上記の問題点に鑑みてなされたもので、包装硬貨を収納するトレイを個別に管理することを可能とすることを課題の一つとしている。
【課題を解決するための手段】
【０００７】
前述した課題の少なくとも一部を解決するための手段として、以下に示す構成をとった。
【０００８】
本発明の包装硬貨処理装置は、
所定枚数の硬貨を金種別に包装した包装硬貨の払い出しを行なう包装硬貨処理装置であって、
前記包装硬貨を複数本収納するトレイと、
前記トレイを着脱自在に保持する複数のトレイ装填部と、
前記トレイの各々に設けられ、当該トレイについての個別情報を記憶する情報記憶媒体と、
前記情報記憶媒体に対して非接触で前記個別情報の読み書きを行なう情報読み書き手段と
を備えることを要旨としている。
【０００９】
ここで、「当該トレイについての個別情報」とは、トレイによって内容が異なる情報である。「読み書き」とは、読み取りと書き込みとの双方を行いうる構成をいう。
【００１０】
上記構成の包装硬貨処理装置によれば、情報読み書き手段により、情報記憶媒体に記憶された、トレイについての個別情報を読み書きすることができる。このために、トレイ毎で情報の管理を行うことができるという効果を奏する。
【００１１】
前記情報記憶媒体は、無線でデータのやり取りができるＩＤタグとしてもよい。この構成によれば、無線でトレイについての個別情報の読み書きが可能となる。
【００１２】
前記情報記憶媒体に記憶される個別情報は、前記トレイを識別し得る識別情報を含む構成としてもよい。識別情報によって、トレイを個別に管理することできる。
【００１３】
前記情報記憶媒体に記憶される個別情報は、包装硬貨処理装置の使用の状況によって、トレイ単位で変化し得る変動情報を含む構成としてもよい。変動情報によって、トレイを個別に管理することできる。
【００１４】
前記変動情報は、前記トレイに収納される包装硬貨の本数情報としてもよい。包装硬貨の金種と本数が判れば、トレイ毎の残高を個別に管理することができる。また、前記変動情報は、前記トレイからの前記包装硬貨の取り出しに関する異常情報としてもよい。前記異常情報を記憶することによって、トレイから包装硬貨を取り出したときにどのような異常が発生したかを容易に知ることが可能となる。
【００１５】
前記構成の包装硬貨処理装置において、前記複数のトレイ装填部のそれぞれに装填された各トレイの並び方向に移動して、所望のトレイから包装硬貨を取り込む包装硬貨取込手段を備え、前記情報読み書き手段は、前記包装硬貨取込手段に設けられ、前記包装硬貨取込手段の移動と共に、前記情報記憶媒体の読み書きを行う構成としてもよい。この構成によれば、一つの情報読み書き手段で各トレイに設けられた複数の情報記憶媒体の読み書きを行うことができることから、装置の構成が簡単である。
【００１６】
前記構成の包装硬貨処理装置において、前記情報読み書き手段により読み込んだ前記情報記憶媒体毎の個別情報を、前記複数のトレイ装填部のそれぞれと対応づけて記憶するテーブル形式のデータを記憶するテーブルデータ記憶手段を備える構成としてもよい。この構成によれば、テーブルデータの形で、トレイ毎の情報を管理することができることから、管理が容易である。
【００１７】
本発明の包装硬貨処理装置において、前記情報記憶媒体に記憶される個別情報は、前記トレイに収納される包装硬貨の金種を含み、包装硬貨の補充が必要な金種とトレイ装填部を定める補充内容決定手段と、前記補充が必要と定められた金種とトレイ装填部を、前記補充を行なう作業員に通知する通知手段と、作業員による前記補充が完了したか否かを判定する補充完了判定手段と、前記補充完了判定手段により前記補充の完了が判定されたとき、前記情報読み書き手段を作動させて、前記補充内容決定手段により定められたトレイ装填部に対応する前記情報記憶媒体に記憶された金種を読み取る読取制御手段と、前記金種読取制御手段により読み取った金種が前記補充内容決定手段により定められた金種と一致しないときに、警報を発する警報手段とを備える構成としてもよい。
【００１８】
この構成によれば、包装硬貨の補充の際に、作業員が、前記補充内容検定手段により定められたトレイ装填部に対して、前記補充内容検定手段により定められた金種とは相違するトレイを誤装填した場合、警報手段により警報が発せられることになる。したがって、包装硬貨の補充作業を確実なものとすることができる。
【００１９】
本発明の包装硬貨処理装置において、前記情報記憶媒体に記憶される個別情報は、前記トレイに収納される包装硬貨の金種を含み、前記包装硬貨の取り込み先である前記トレイ装填部を求める取込先決定手段と、前記取込先決定手段により定められた前記トレイ装填部に装填された前記トレイから包装硬貨を取り込む包装硬貨取込手段と、前記包装硬貨取込手段により取り込んだ包装硬貨の金種を、当該包装硬貨を実測することにより判定する実金種判定手段と、前記包装硬貨取込手段により取り込んだ包装硬貨の金種を、前記取込先決定手段により定められた前記トレイ装填部に対応する前記情報記憶媒体に記憶された金種から判定する記憶金種判定手段と、前記実金種判定手段と前記記憶金種判定手段との判定結果が一致しないときに、警報を発する警報手段とを備える構成としてもよい。
【００２０】
この構成によれば、包装硬貨をトレイから取り込む際に、前記取込先決定手段により定められたトレイ装填部に装填されたトレイについて、本来収納しなければならない金種とは相違する金種が誤って収納されていた場合、警報手段により警報が発せられることになる。したがって、包装硬貨の払い出し時等における包装硬貨の取込作業を確実なものとすることができる。
【００２１】
包装硬貨の本数を情報記憶媒体に記憶させた前記包装硬貨処理装置において、前記包装硬貨の取り込み先である前記トレイ装填部を求める取込先決定手段と、前記取込先決定手段により定められた前記トレイ装填部に装填された前記トレイから包装硬貨を取り込む包装硬貨取込手段と、前記包装硬貨取込手段により取り込んだ包装硬貨の本数をカウントする本数カウント手段と、前記取込先決定手段により定められた前記トレイ装填部に装填された前記トレイに残る包装硬貨の本数を、前記本数カウント手段によりカウントされた本数に基づいて演算する残数演算手段と、前記取込先決定手段により定められた前記トレイ装填部に対応する前記情報記憶媒体の前記本数情報を、前記残数演算手段により求められた包装硬貨の本数に基づいて更新する情報記憶媒体更新手段とを備える構成としてもよい。
【００２２】
この構成によれば、包装硬貨をトレイから取り込む際に、前記取込先決定手段により定められたトレイ装填部に装填されたトレイに記憶されている情報記憶媒体の前記本数情報を、その包装硬貨の取り込み後の本数に更新することができる。したがって、包装硬貨の払い出しが行われた後の情報記憶媒体に記憶された所定情報を、その払い出し後のトレイの残った本数に更新することができる。
【００２３】
本発明の包装硬貨用トレイは、
所定枚数の硬貨を金種別に包装した包装硬貨の払い出しを行なう包装硬貨処理装置に用いられ、前記包装硬貨を複数本収納する包装硬貨用トレイであって、
当該包装硬貨用トレイについての個別情報を記憶し、非接触で前記個別情報の読み書きを受ける情報記憶媒体
を備えることを要旨としている。
【００２４】
上記構成の包装硬貨用トレイによれば、情報記憶媒体から、包装硬貨用トレイについての個別情報を非接触で読み書きができる。このために、トレイ毎で情報の管理を行うことができるという効果を奏する。
【発明を実施するための最良の形態】
【００２５】
以下、本発明の実施の形態を実施例に基づいて説明する。
Ａ．全体の構成：
図１は、本発明の第１実施例としての包装硬貨処理装置１０の概略構成図である。包装硬貨処理装置１０は、コンビニエンスストアや複数のテナント店を擁するショッピングセンター等に設置され（以下、この設置場所を以下「店舗」と呼ぶ）、入金された貨幣を棒金へ両替する自動両替機として機能する。棒金とは、同一金種の硬貨を所定枚数（例えば５０枚）重ねて紙やビニール等のシートで棒状（円柱状）に包装した包装硬貨である。
【００２６】
図示するように、包装硬貨処理装置１０は、箱形の筺体２０を備え、筺体２０内には、棒金３２を複数収納するトレイ３０が装填されるワゴン部４０と、ワゴン部４０から棒金３２を取り込む棒金取込部５０とを備える。
【００２７】
図２は、トレイ３０の外観を示す斜視図である。トレイ３０は、上部の大部分が開口した箱体で、複数の棒金３２を整列状態で収容可能となっている。なお、一のトレイ３０には同一金種の棒金が収容されている。トレイ３０の前方には、棒金取出口３４が設けられている。また、トレイ３０の前方の側面には、ＩＤタグ３６が貼着されている。棒金３２のトレイ３０への装填は、包装硬貨処理装置１０の設置場所から離れた現金センタにて行なわれる。現金センタにて棒金３２が装填されたトレイ３０は、警送員（作業員）によって店舗まで搬送され、警送員の手によって包装硬貨処理装置１０に装填される。
【００２８】
ＩＤタグ３６は、ＩＣチップと無線を拾うためのアンテナとが一体化されたもので、無線でデータのやり取りができる。ＩＤタグ３６には、貼着されたトレイを識別するためのＩＤ番号と、貼着されたトレイに収容される棒金３２の金種と本数とが記憶されている。すなわち、ＩＤタグ３６には、トレイについての個別情報として、「ＩＤ番号」、「金種」、「本数」といった３種類の情報が記憶されている。「本数」は、包装硬貨処理装置１０の使用の状況によってトレイ単位で変化し得る変動情報の一種である。
【００２９】
ＩＤタグ３６は、トレイ３０に対して貼着剤により貼着されている。なお、このＩＤタグ３６は、粘着剤での貼付けでなくてもよく、トレイ３０から容易に外れることなく取付けられていれば、どのような手法で取り付けるようにしてもよい。
【００３０】
ＩＤタグ３６への前述した情報の記憶は、前述した現金センタにて、棒金３２をトレイ３０に装填すると同時に行われる。すなわち、現金センタでは、トレイ３０に必要な金種の棒金３２を必要な本数だけ収納すると共に、その収納された棒金３２の金種と本数をＩＤタグ３６に書き込む処理を行う。
【００３１】
図１に戻って、ワゴン部４０は、複数のトレイ台４２が上下方向に段形状に設けられており、一のトレイ台４２に一のトレイ３０が装填される。トレイ３０はトレイ台４２から着脱可能である。包装硬貨処理装置１０の筺体２０の後ろ側、すなわちワゴン部４０側には、トレイ交換用扉２２が設けられており、警送員は、このトレイ交換用扉２２を開いて、ワゴン部４０に装填されるトレイ３０の交換を行う。すなわち、警送員は、払い出しにより減った棒金３２の補充を、トレイ３０単位で交換する。なお、トレイ台４２は水平方向に対して斜めとなっており、トレイ３０はその棒金取出口３４が下方となるように斜めに装填される。なお、このトレイ台４２が本発明の「トレイ装填部」を構成する。
【００３２】
上記トレイ交換用扉２２には、扉の開閉を検出する扉開閉センサ２４が設けられている。この扉開閉センサ２４の役割については後述する。
【００３３】
図３は、ワゴン部４０に装填された各トレイ３０に収容された金種の一例を示す説明図である。図示するように、ワゴン部４０の下から１段目から３段目のトレイ台４２に装填された各トレイ３０は５００円、４段目から６段目のトレイ台４２に装填された各トレイ３０は１００円、７段目から１０段目のトレイ台４２に装填された各トレイ３０は１０円、１１段目と１２段目のトレイ台４２に装填された各トレイ３０は１円の棒金３２が収容されている。なお、あくまでもこれは一例であり、各金種のトレイ３０はいずれの段のトレイ台４２にでも装填可能で、ワゴン部４０における金種の構成パターンを自在に変化させることが可能である。また、この金種の構成パターンは、店舗毎に異なることも可能である。
【００３４】
図１に戻って、棒金取込部５０は、図示しないエレベータ構造によって上下方向に昇降可能となっており、ワゴン部４０に装填された複数のトレイ３０の各先端（ＩＤタグ３６の位置）に沿って昇降する。棒金取込部５０は、半回転可能なアーム部５２を備え、このアーム部５２と図示しない棒金転送機構によって、棒金取出口３４に位置する棒金３２を一つずつトレイ３０から取り出すことができる。前述したようにトレイ３０は水平方向に対して斜めに装填されることから、棒金取出口３４から棒金３２が一つ取り出されると、トレイ３０に残った棒金３２は自重により棒金取出口３４側に送られる。このようにして、棒金取込部５０により、棒金３２はトレイ３０から一つずつ取り出されて収容部５４に収容される。その後、棒金３２のトレイ３０からの取り込みを終了すると、棒金取込部５０は、最上位の位置まで移動する。この最上位位置における筺体２０の上面には、棒金３２を払い出すための払出口２６が開口され、この払出口２６にシャッタ２８が設けられている。利用者は、シャッタ２８が開いた払出口２６から収容部５４に収容された棒金３２を取り出すことができる。
【００３５】
なお、アーム部５２の先端には、金種判別センサ５６が設けられている。金種判別センサ５６は、トレイ３０から移行してきた棒金３２の直径を光学的に計測することにより、棒金３２の金種を判別するものである。また、棒金取込部５０のトレイ３０と向かい合う位置にはリーダライタ５８が取り付けられている。リーダライタ５８は、トレイ３０に貼着されたＩＤタグ３６に対して無線にてデータの読み書きを行う。すなわち、リーダライタ５８は、ＩＤタグ３６からＩＤ番号、金種、本数の各情報を非接触にて読み取り、また、ＩＤタグ３６に対して新たな本数を非接触にて書き込む。
【００３６】
なお、金種判別センサ５６は、前述したように棒金３２の直径を計測するものであったが、これに替えて、棒金３２の重量を計測して金種を判別する構成としてよい。要は、棒金３２を実測することで金種を判別することができるものであるなら、いずれの構成とすることもできる。
【００３７】
図４は、包装硬貨処理装置１０の内部的な構成を示すブロック図である。図示するように、包装硬貨処理装置１０は、制御ユニット６０を備える。前述した扉開閉センサ２４、金種判別センサ５６、リーダライタ５８からの信号は、制御ユニット６０に送られる。また、制御ユニット６０は、棒金取込部５０と電気的に接続されており、この動作を制御する。
【００３８】
さらに、包装硬貨処理装置１０は、図１には示さなかったが、操作パネル７０と紙幣入金部７２とを備えており、制御ユニット６０は操作パネル７０と紙幣入金部７２と電気的に接続されている。操作パネル７０は、筺体２０の上面に設けられており、利用者に対して操作案内を促す表示部と、利用者からの入力操作を受け付ける入力部とを併せ持つ。紙幣入金部７２は、両替をしたい紙幣の入金を行うユニットである。制御ユニット６０は、操作パネル７０と紙幣入金部７２の動作を制御する。
【００３９】
制御ユニット６０は、ＣＰＵ６２、ＲＯＭ６４、ＲＡＭ６６、通信部６８等を備えた周知のマイクロコンピュータによって構成される。通信部６８は、専用回線で接続された前述した現金センタ９０との間でデータ通信を可能としている。ＲＯＭ６４には、紙幣から棒金への両替を行う両替処理や、トレイ交換を行うトレイ交換処理を示す各種のコンピュータプログラムが予め格納されている。ＣＰＵは、ＲＡＭ６６をワークエリアとして用いることにより上記コンピュータプログラムを実行する。なお、本実施例においてソフトウェア的に実現する機能はハードウェアによって実現するものとしてもよい。
【００４０】
Ｂ．制御処理：
図５は、制御ユニット６０により実行されるトレイ交換処理を示すフローチャートである。この処理は、警送員がトレイ交換を行うタイミングで実行開始される。本実施例では、上記タイミングは、扉開閉センサ２４により、トレイ交換用扉２２が閉状態から開状態に切り替えられたときが検出されたときとなっている。なお、このタイミングは、警送員がトレイ交換を行うタイミングを検知することができるものであれば、いずれのタイミングであってもよく、例えば、操作パネル７０において所定の入力操作がなされたとき等に換えることもできる。
【００４１】
図５に示すように、処理が開始されると、制御ユニット６０のＣＰＵ６２は、まず、現金センタ９０から当該包装硬貨処理装置１０についてのトレイ交換情報を受信する（ステップＳ１１０）。包装硬貨処理装置１０は、各トレイ台４２にセットされたトレイ３０について金種と最新の本数とを逐次、通信部６８を介して現金センタ９０に送信しており（後ほど詳述する）、現金センタ９０は、いずれのトレイ台４２のトレイ３０が不足して来ているかを把握することができる。ステップＳ１１０では、包装硬貨処理装置１０は、現金センタ９０に対して、棒金３２の補充が必要な（すなわち、交換が必要な）トレイ台番号と金種とをトレイ交換情報として要求して、そのトレイ交換情報を受信する。ここで、トレイ台番号とは、各トレイ台４２に下段から順に振られた数字である。
【００４２】
その後、ＣＰＵ６２は、ステップＳ１１０により受信したトレイ交換情報を操作パネル７０に表示する（ステップＳ１２０）。警送員は、操作パネル７０に表示されたトレイ交換情報を見て、そのトレイ交換情報に応じたトレイ交換の作業を行う。すなわち、警送員は、トレイ交換情報を見て、トレイ交換情報として示されるトレイ台番号に装填されているトレイをまず抜き取って、その後、トレイ交換情報として示される金種に該当するトレイ（すなわち、金種が一致するトレイ）を手持ちの複数のトレイの中から選択して、その選び出したトレイを上記のトレイ台番号のトレイ台４２に装填する。なお、ステップＳ１２０による処理は、必ずしも表示という視覚的な通知によるものである必要はなく、音声等により通知する構成としてもよい。
【００４３】
トレイ交換情報として現金センタ９０から送られてくるトレイ台番号と金種とは、対となっているが、必ずしも一対でなく、複数対ある場合もある。警送員はそれら全ての対のトレイ台番号と金種についてのトレイ交換を行う。続くステップＳ１３０では、ＣＰＵ６２は、それら全てのトレイ交換が完了したか否かを判定する処理を行う。この判定は、具体的には、扉開閉センサ２４により、トレイ交換用扉２２が開状態から閉状態に切り替えられたときが検出されたときに、全てのトレイ交換が完了したものとする。なお、この判定は、警送員がトレイ交換を完了したこと、即ち棒金３２の補充が完了したことを判定することができるものであれば、いずれでもよく、例えば、操作パネル７０において所定の入力操作がなされたとき等に換えることもできる。
【００４４】
ステップＳ１３０でトレイ交換が完了していないと判定された場合には、ＣＰＵ６２は、ステップＳ１３０の処理を繰り返して、トレイ交換が完了するのを待つ。ステップＳ１３０でトレイ交換が完了したと判定されると、ＣＰＵ６２は、ステップＳ１４０に処理を進めて、ワゴン部４０に装填された各トレイ３０に貼着された全てのＩＤタグ３６から情報を読み取る処理を行う。詳細には、棒金取込部５０を最下段から上昇させながら、棒金取込部５０に設けたリーダライタ５８により、トレイ台４２の各段に装填された全てのトレイ３０のＩＤタグ３６を順に読み取っていく。
【００４５】
続いて、ＣＰＵは、ステップＳ１４０で読み取った全てのＩＤタグ３６の情報に基づいてトレイ一覧テーブルを更新する処理を行う（ステップＳ１５０）。トレイ一覧テーブルは、各トレイ台４２にいずれのＩＤ番号のトレイ３０が装填されており、そのトレイ３０には、どの金種の棒金３２が何本収納されているかを一覧にて示すテーブル形式のデータである。
【００４６】
図６は、トレイ一覧テーブルＴＢＬの一例を示す説明図である。図示するように、トレイ一覧テーブルＴＢＬは、「トレイ台番号」、「トレイＩＤ番号」、「金種」、「本数」の４つの項目により１レコードが構成され、トレイ台４２の数ｎ（例えば、ｎ＝１２）だけのレコードが用意されている。各レコードの「トレイ台番号」の項目には、値１からｎ（＝１２）までの連番が格納されている。ステップＳ１５０では、棒金取込部５０により下から１段目に位置するＩＤタグ３６から読み取ったトレイＩＤ番号、金種、本数の情報を、トレイ台番号が値１であるレコードの対応する「トレイＩＤ番号」、「金種」、「本数」の項目に書き込み、次いで、棒金取込部５０により下から２段目に位置するＩＤタグ３６から読み取ったトレイＩＤ番号、金種、本数の情報を、トレイ台番号が値２であるレコードの対応する「トレイＩＤ番号」、「金種」、「本数」の項目に書き込み、というようにしてトレイ台番号がｎ（＝１２）である位置まで情報の書き込みを行う。
【００４７】
この結果、図６に示すように、トレイ一覧テーブルＴＢＬには、トレイ台番号が１からｎ（＝１２）までの全てのトレイ台４２のそれぞれに、いずれのＩＤ番号のトレイ３０が装填されており、そのトレイ３０には、どの金種の棒金３２が何本収納されているかについての最新の情報が記憶されることになる。その後、ＣＰＵ６２は、ステップＳ１１０で受信したトレイ交換情報のトレイ台番号をトレイ一覧テーブルＴＢＬと照合することにより、トレイ一覧テーブルＴＢＬに登録された金種、すなわち登録金種を求める（ステップＳ１６０）。
【００４８】
続いて、ＣＰＵ６２は、ステップＳ１１０で受信したトレイ交換情報の金種が、ステップＳ１６０で得られた登録金種と一致するか否かを判定し（ステップＳ１７０）、一致しないと判定された場合に警報を発する（ステップＳ１８０）。トレイ交換情報の金種と登録金種が一致しないということは、警送員が操作パネル７０に表示されたトレイ交換情報とは相違する金種のトレイを誤って装填したことが考えられるため、警報を発することにより、トレイ交換作業が異常である旨を警送員に通知するようにしている。なお、警報は、操作パネル７０への表示に替えて、警報灯の点灯、ブザー等を用いた音声によるもの等としてもよい。
【００４９】
その後、ステップＳ１５０で得られた最新のトレイ一覧テーブルＴＢＬの内容を、通信部６８を動作させて現金センタ９０に送信する（ステップＳ１９０）。なお、ステップＳ１７０で、トレイ交換情報の金種と登録金種が一致すると判定された場合には、ステップＳ１８０の処理を実行することなく、ステップＳ１９０に処理を進める。ステップＳ１９０の実行後、「リターン」に抜けて、このトレイ交換処理を一旦終了する。
【００５０】
なお、このトレイ交換処理においては、トレイ交換完了後、全てのＩＤタグ３６の情報を新たに読み取って、トレイ一覧テーブルＴＢＬの「トレイＩＤ番号」、「金種」、「本数」の各項目を全て書き直す構成であったが、これに替えて、実際にトレイ交換が行われたトレイ台４２を検出し、そのトレイ台４２の交換済みのトレイ３０に貼着されたＩＤタグ３６の情報を読み取り、トレイ一覧テーブルＴＢＬの該当するトレイ台番号のレコードだけを書き直す構成としてもよい。
【００５１】
図７は、制御ユニット６０により実行される両替処理を示すフローチャートである。この処理は、操作パネルにより表示された操作メニューから両替を行う旨の指示が利用者によりなされたときに実行開始される。図示するように、処理が開始されると、ＣＰＵ６２は、まず、紙幣入金部７２を動作させて、利用者により投入された紙幣を取り込む処理を行う（ステップＳ２１０）。次いで、ＣＰＵ６２は、取り込んだ紙幣の金額と、別途、利用者により操作パネルから入力された希望金種とに基づいて、排出するトレイ台番号と払い出す棒金３２の本数とを決定する処理を行う（ステップＳ２２０）。
【００５２】
その後、ＣＰＵ６２は、ステップＳ２２０で決定したトレイ台番号と払出本数とに基づいて、棒金取込部５０を動作させて、トレイ台番号のトレイ台４２に装填されるトレイ３０から、払出本数に従う本数の棒金３２を払い出す処理を行う（ステップＳ２３０）。
【００５３】
図８は、制御ユニット６０により実行される払出チェック処理を示すフローチャートである。この払出チェック処理は、ステップＳ２３０の棒金払出の処理の途中の所定のタイミングで割り込みにて実行開始される。ここでいう所定のタイミングとは、棒金取込部５０において、棒金３２がトレイ３０からアーム部５２側に移行したタイミングである。
【００５４】
アーム部５２に棒金３２が移行すると、ＣＰＵ６２は、その移行してきた棒金３２の金種を金種判別センサ５６により判定する（ステップＳ３１０）。金種判別センサ５６は、前述したように棒金３２を実測するものであることから、この判定により棒金３２の実金種が求まることになる。次いで、ＣＰＵ６２は、ステップＳ２２０で決定したトレイ台番号、すなわち実際に取り込みを行ったトレイ台番号をトレイ一覧テーブルＴＢＬに照合することにより、トレイ一覧テーブルＴＢＬに登録された金種、すなわち登録金種を求める（ステップＳ３２０）。なお、このステップＳ３２０の構成に替えて、改めて、ステップＳ２２０で決定したトレイ台番号から定まるトレイ台４２に装填されたトレイ３０のＩＤタグ３６をリーダライタ５８により読み取ることにより登録金種を求める構成としてもよい。
【００５５】
その後、ＣＰＵ６２は、ステップＳ３１０で得られた実金種が、ステップＳ３２０で得られた登録金種と一致するか否かを判定する（ステップＳ３３０）。ここで、一致しないと判定された場合には、棒金取込部５０の動作を停止して、出金を中止する（ステップＳ３４０）とともに、警報を発する（ステップＳ３５０）。ステップＳ３１０で得られた実金種とステップＳ３２０で得られた登録金種とが一致しないということは、現金センタ９０でトレイ３０に収納された棒金３２の金種が誤っていたことが考えられるため、直ちに出金を中止するとともに、払出金種が異常である旨を警送員に通知するようにしている。なお、警報は、操作パネル７０への表示に替えて、警報灯の点灯、ブザー等を用いた音声によるもの等としてもよい。
【００５６】
一方、ステップＳ３３０で一致すると判定された場合には、ステップＳ２３０の棒金払出の処理（図７参照）に処理を戻して、棒金取込部５０によるその後の棒金払出の処理を続行する。すなわち、アーム部５２を回動させて、収容部５４に棒金を移し、棒金取込部５０を最上段まで上昇させて、シャッタ２８を開くようにして、棒金３２の払出を行う。
【００５７】
ステップＳ２３０による棒金払出の処理が完了すると、ＣＰＵ６２はステップＳ２４０に処理を進める。ステップＳ２４０では、ＣＰＵ６２は、ステップＳ２３０で払い出しのあったトレイ３０（＝ステップＳ２２０で決定したトレイ台番号に装填されたトレイ３０）のＩＤタグ３６に記憶された「本数」の情報を更新する。詳細には、棒金取込部５０により棒金３２を取り込んだ際に、金種判別センサ５６により棒金３２の取り込み数をカウントするとともに、その取り込んだトレイ３０のＩＤタグ３６に記憶された本数情報をリーダライタ５８により読み取り、読み取った本数情報から前記カウントした数を減算して、その減算結果を新たな本数情報として、リーダライタ５８により該当するＩＤタグ３６に書き込む。なお、棒金３２の本数のカウントは金種判別センサ５６によって行なったが、金種判別センサ５６とは別の手段により棒金３２の本数をカウントする構成としてもよい。
【００５８】
続いて、ＣＰＵ６２は、トレイ一覧テーブルの内容の更新を行う（ステップＳ２５０）。詳細には、ステップＳ２４０で更新を行ったＩＤタグ３６に対応するトレイ台番号のレコードにおける「本数」の項目を上記新たな本数情報で書き換える。その後、そのトレイ台番号に対応する本数が上記新たな本数情報に変わった旨の移動情報を、通信部６８を動作させて現金センタ９０に送信する（ステップＳ２６０）。ステップＳ２６０の実行後、この両替処理を一旦終了する。
【００５９】
Ｃ．作用・効果：
以上のように構成された第１実施例の包装硬貨処理装置１０によれば、ワゴン部４０に複数のトレイ台４２が設けられ、各トレイ台４２にはトレイ３０が装填され、各トレイ３０にはＩＤタグ３６が貼着されている。ＩＤタグ３６には、ＩＤ番号、金種、本数が記憶されており、棒金取込部５０に設けられたリーダライタ５８により、非接触で読み書き可能となっている。このために、トレイ３０毎で情報の管理を行うことができる。また、一つのリーダライタ５８で各トレイ３０のＩＤタグ３６の読み書きが可能であることから、装置の構成が簡単で済む。
【００６０】
また、この包装硬貨処理装置１０によれば、トレイ交換時に警送員によって金種の相違するトレイ３０が装填された場合に、警報が発せられることから、トレイ交換の作業、即ち、棒金３２の補充作業を確実なものとすることができる。さらに、両替時には、トレイ３０に金種の誤った棒金３２が収納されていたために誤った金種が払い出されようとした場合に、出金を停止するとともに警報が発せられる。このために、棒金３２の払い出しの作業を確実に行うことができる。さらにまた、棒金３２の払い出しが行われた後のＩＤタグ３６の内容を、その払い出し後のトレイ３０の残った本数に更新することができる。
【００６１】
Ｄ．第２実施例：
本発明の第２実施例について次に説明する。この第２実施例は、第１実施例の包装硬貨処理装置１０と比較して、制御ユニット６０にて実行されるトレイ交換処理が相違するだけであり、その他の制御処理やハードウェアの構成については同一である。なお、第１実施例と同一の構成には同じ符号を用いて説明する。
【００６２】
図９は、第２実施例の制御ユニットにより実行されるトレイ交換処理を示すフローチャートである。この処理は、第１実施例と同様に、警送員がトレイ交換を行うタイミングで実行開始される。図示するように、処理が開始されると、制御ユニット６０のＣＰＵ６２は、まず、現金センタ９０から当該包装硬貨処理装置１０についてのトレイ交換情報を受信する（ステップＳ４１０）。詳細には、包装硬貨処理装置１０は、現金センタ９０に対して、棒金３２の補充が必要な（すなわち、交換が必要な）トレイ台番号とトレイについてのＩＤ番号とをトレイ交換情報として要求して、そのトレイ交換情報を受信する。
【００６３】
その後、ＣＰＵ６２は、ステップＳ４１０により受信したトレイ交換情報を操作パネル７０に表示する（ステップＳ４２０）。警送員は、操作パネル７０に表示されたトレイ交換情報を見て、そのトレイ交換情報に応じたトレイ交換の作業を行う。すなわち、警送員は、トレイ交換情報を見て、トレイ交換情報として示されるトレイ台番号に装填されているトレイをまず抜き取って、その後、トレイ交換情報として示されるＩＤ番号に該当するトレイ（を手持ちの複数のトレイの中から選択して、その選び出したトレイを上記のトレイ台番号のトレイ台４２に装填する。なお、ステップＳ４２０による処理は、必ずしも表示という視覚的な通知によるものである必要はなく、音声等により通知する構成としてもよい。
【００６４】
トレイ交換情報として現金センタ９０から送られてくるトレイ台番号とＩＤ番号とは、対となっているが、必ずしも一対でなく、複数対ある場合もある。警送員はそれら全ての対のトレイ台番号とＩＤ番号とについてのトレイ交換を行う。続くステップＳ４３０では、ＣＰＵ６２は、それら全てのトレイ交換が完了したか否かを判定する処理を行う。この判定は、第１実施例と同様である。
【００６５】
ステップＳ４３０でトレイ交換が完了していないと判定された場合には、ＣＰＵ６２は、ステップＳ４３０の処理を繰り返して、トレイ交換が完了するのを待つ。ステップＳ４３０でトレイ交換が完了したと判定されると、ＣＰＵ６２は、ステップＳ４４０に処理を進めて、トレイ交換情報として示されるトレイ台番号に装填されているトレイ３０に貼着されたＩＤタグ３６から情報を読み取る処理を行う。詳細には、棒金取込部５０を上記トレイ台番号により特定されるトレイ台４２の位置に移動して、棒金取込部５０に設けたリーダライタ５８により、そのトレイ台４２の位置に装填されたトレイ３０のＩＤタグ３６を読み取る。
【００６６】
続いて、ＣＰＵ６２は、ステップＳ４４０で読み取ったＩＤタグ３６の情報から得られたＩＤ番号が、ステップＳ４１０で受信したトレイ交換情報のＩＤ番号と一致するか否かを判定し（ステップＳ４５０）、一致しないと判定された場合に警報を発する（ステップＳ４６０）。一致しないということは、警送員が操作パネル７０に表示されたトレイ交換情報とは相違するＩＤ番号のトレイを誤って装填したことが考えられるため、警報を発することにより、トレイ交換作業が異常である旨を警送員に通知するようにしている。
【００６７】
ステップＳ４６０の実行後、「リターン」に抜けて、このトレイ交換処理を一旦終了する。一方、ステップＳ４５０で一致すると判定された場合には、ステップＳ４６０の処理を実行することなく、「リターン」に処理を進める。
【００６８】
以上のように構成された第２実施例の包装硬貨処理装置によれば、トレイ交換時に警送員に対して、トレイのＩＤ番号によって交換するＩＤ番号を指示することができることから、トレイ交換を誤りを防止することができる。特に、誤ってＩＤ番号が相違するトレイを装填した場合には、警報が発せられることから、トレイ交換の作業、即ち、棒金３２の補充作業をより確実なものとすることができる。
【００６９】
Ｅ．他の実施形態：
本発明は上記した実施例や変形例に限られるものではなく、その要旨を逸脱しない範囲において種々の態様にて実施することが可能である。
【００７０】
（１）前記実施例では、ＩＤタグ３６には、貼着されたトレイ３０の個別情報として「ＩＤ番号」、「金種」、「本数」が記憶されている構成としているが、これに換えて、「ＩＤ番号」だけが記憶された構成としてもよい。この場合には、「金種」、「本数」の情報については、現金センタ９０で一元管理するようにする。すなわち、トレイ３０における棒金３２の変動情報を、ＩＤタグに記憶した「ＩＤ情報」とともに現金センタ９０に送るようにして、現金センタ９０で「ＩＤ情報」で特定される各トレイにいずれの金種の棒金がどれだけ収納されているかを常に把握する構成とする。この構成によっても、トレイ３０毎で棒金３２の金種と本数の管理を行うことができる。なお、「ＩＤ番号」は、トレイを識別しうる識別情報であれば、番号に換えて符号等とすることもできる。
【００７１】
（２）また、ＩＤタグ３６には、「金種」と「本数」だけが記憶されている構成とすることもできる。この構成によっても、トレイ３０毎で棒金３２の残高の管理を行うことができる。
【００７２】
（３）前記実施例では、ＩＤタグ３６には、「ＩＤ番号」、「金種」、「本数」が記憶されている構成としているが、さらに、貼着されたトレイ３０からの棒金３２の取り出しに関する異常情報が記憶される構成としてもよい。詳細には、払出チェック処理（図８）のステップＳ３５０の実行後に、現金センタ９０でトレイ３０に収納された棒金３２の金種が誤っている旨（すなわち、取り出そうとした金種が誤っている旨）を示すエラーコードを異常情報として、該当するＩＤタグ３６にリーダライタ５８を使って書き込む処理を行う。異常発生トレイは警送員により回収され、現金センタ９０へ運搬され、現金センタ９０に備えられた情報読込書込装置にてＩＤタグ３６の異常情報を読取ることで、当該トレイ３０から棒金３２を取り出そうとしたときにどのような異常が発生したかを容易に知ることが可能となる。
【００７３】
なお、異常情報としては、上記のトレイ３０に収納された棒金３２の金種が誤っているという異常についてのもの以外にも、トレイ３０から棒金取込部５０により１本ずつ棒金３２を取り出そうとしたときに、複数本同時に排出されようとする異常についてのものとすることができる。要は、異常情報としては、棒金取込部５０によるトレイ３０からの棒金３２の取り出しの際に発生する取り出しに関する異常であればどのような情報とすることもできる。また、ＩＤタグ３６は、「ＩＤ番号」と前記異常情報だけが記憶される構成としてもよい。さらには、異常情報だけが記憶される構成としてもよい。
【００７４】
なお、異常情報は、包装硬貨処理装置１０の使用の状況によってトレイ単位で変化し得る変動情報の一種である。変動情報は、前述した「本数」とこの異常情報以外にも種々のものがあり、これらの変動情報は、情報記憶媒体に記憶される「トレイについての個別情報」となり得る。
【００７５】
さらには、ＩＤタグ３６に記憶される情報は、貼着されているトレイ３０についての個別情報、すなわち、トレイ３０によって内容が異なる情報であれば、「ＩＤ番号」等の識別情報や、前述した変動情報以外にも種々の情報とすることができる。
【００７６】
（４）前記実施例では、情報記憶媒体として、無線でデータの読み書きができるＩＤタグ３６を用いていたが、これに換えて、磁気を利用してデータの読み書きを行う構成や、レーザを利用してデータの読み書きを行う構成としてもよい。
【図面の簡単な説明】
【００７７】
【図１】本発明の第１実施例としての包装硬貨処理装置１０の概略構成図である。
【図２】トレイ３０の外観を示す斜視図である。
【図３】ワゴン部４０に装填された各トレイ３０に収容された金種の一例を示す説明図である。
【図４】包装硬貨処理装置１０の内部的な構成を示すブロック図である。
【図５】制御ユニット６０により実行されるトレイ交換処理を示すフローチャートである。
【図６】トレイ一覧テーブルＴＢＬの一例を示す説明図である。
【図７】制御ユニット６０により実行される両替処理を示すフローチャートである。
【図８】制御ユニット６０により実行される払出チェック処理を示すフローチャートである。
【図９】本発明の第２実施例におけるトレイ交換処理を示すフローチャートである。
【符号の説明】
【００７８】
１０...包装硬貨処理装置
２０...筺体
２２...トレイ交換用扉
２４...扉開閉センサ
２６...払出口
２８...シャッタ
３０...トレイ
３２...棒金
３４...棒金取出口
３６...ＩＤタグ
４０...ワゴン部
４２...トレイ台
５０...棒金取込部
５２...アーム部
５４...収容部
５６...金種判別センサ
５８...リーダライタ
６０...制御ユニット
６２...ＣＰＵ
６４...ＲＯＭ
６６...ＲＡＭ
６８...通信部
７０...操作パネル
７２...紙幣入金部
９０...現金センタ
ＴＢＬ...トレイ一覧テーブル
【図１】
2008165702.tif 000003
【図２】
2008165702.tif 000004
【図３】
2008165702.tif 000005
【図４】
2008165702.tif 000006
【図５】
2008165702.tif 000007
【図６】
2008165702.tif 000008
【図７】
2008165702.tif 000009
【図８】
2008165702.tif 000010
【図９】
2008165702.tif 000011